(57)【要約】【課題】  腰痛を緩和するための装置として、尾骨に対して鉛直方向に力を加えることで、仙骨を持ち上げて骨盤の矯正を行うものがあるが、これまでの装置は、装置自体が大きくなったり、製作費が大きくなったりするという問題があった。よって、発明が解決しようとする課題は、簡易に腰痛治療を行うことができ、かつ原料費を抑えた腰痛治療具を提供することである。【解決手段】スポンジ製の座板１４の中央部に縦方向の通孔を穿ち、通孔内にバネ１３で上向きに付勢させた昇降体１１を設置し、弾性材製の尾骨押圧子１２を昇降体１１の上部に取り付けた腰痛治療器により上記問題を解決した。【選択図】図２
2014200402.tif 000002
【特許請求の範囲】
【請求項１】
スポンジ製の座板の中央部に縦方向の通孔を穿ち、
前記通孔内にバネで上向きに付勢させた昇降体を設置し、
弾性材製の尾骨押圧子を昇降体の上部に取り付けることを特徴とする腰痛治療器。
【請求項２】
前記尾骨押圧子を、
その一部が座板の上面より突出した状態で昇降体の上部に取り付けることを特徴とする請求項１に記載の腰痛治療器。
【請求項３】
前記座板の底面に、前記昇降体と連結する支持体を設けたことを特徴とする請求項１又は請求項２に記載の腰痛治療器。
【請求項４】
前記座板が、臀部形状を受ける凹部を有し、
使用者の体格に応じて異なる二以上の凹部を有する座板に対し、
前記昇降体を交換可能とした請求項１から請求項３のいずれか１項に記載の腰痛治療器。
【請求項５】
前記尾骨押圧子の弾性係数よりも前記バネの弾性係数が小さいことを特徴とする請求項１から請求項４のいずれか１項に記載の腰痛治療器。
【請求項６】
前記尾骨押圧子が球形状であり、かつ前記昇降体の上部が凹曲面である請求項１から請求項５のいずれか１項に記載の腰痛治療器。
【発明の詳細な説明】
【技術分野】
【０００１】
本発明は、椅子や床に載置する腰痛治療具に関するものである。
【背景技術】
【０００２】
腰痛を緩和するための装置として、本出願の発明者が以前に出願した特許文献１に記載の腰痛治療具や、特許文献２に記載の姿勢矯正装置がある。これらは、尾骨に対して鉛直方向に力を加えることで、仙骨を持ち上げて骨盤の矯正を行うものである。いずれの出願でも、尾骨に過度の力が作用しないように、装置の使用者（患者）の体重により、尾骨に力を作用させる構成である。
【先行技術文献】
【特許文献】
【０００３】
【特許文献１】国際公開第２０１２／１２４１７５号
【特許文献２】特開２０１１−２５４８７８号公報
【発明の概要】
【発明が解決しようとする課題】
【０００４】
特許文献１に記載の腰痛治療具は、立位で行うものであり装置が大きくならざるを得ないという問題があった。また、特許文献２に記載の姿勢矯正装置では、弾性体のみで装置が構成されるため、弾性体の剛性で装置としての形態を維持する必要があり、このような弾性体を使用した場合、成形のための費用、即ち製作費が大きくなるという問題があった。よって、簡易に腰痛治療を行うことができ、かつ原料費を抑えた腰痛治療具を提供することが、本発明が解決しようとする課題である。
【課題を解決するための手段】
【０００５】
本発明は、上記課題を解決すべく次のような技術的手段を講じた。
すなわち、請求項１記載の発明は、スポンジ製の座板１４の中央部に縦方向の通孔を穿ち、前記通孔内にバネ１３で上向きに付勢させた昇降体１１を設置し、弾性材製の尾骨押圧子１２を昇降体の上部に取り付けることを特徴とする腰痛治療器である。
【０００６】
また、請求項２記載の発明は、前記尾骨押圧子１２を、その一部が座板１４の上面より突出した状態で昇降体１１の上部に取り付けることを特徴とする請求項１に記載の腰痛治療器
【０００７】
また、請求項３記載の発明は、前記座板１４の底面に、前記昇降体１１と連結する支持体１０を設けたことを特徴とする請求項１又は請求項２に記載の腰痛治療器である。
【０００８】
また、請求項４記載の発明は、前記座板１４が、臀部形状を受ける凹部１４ａを有し、使用者の体格に応じて異なる二以上の凹部１４ａを有する座板１４に対し、前記昇降体１１を交換可能とした請求項１から請求項３のいずれか１項に記載の腰痛治療器である。
【０００９】
また、請求項５記載の発明は、前記尾骨押圧子１２の弾性係数よりも前記バネ１３の弾性係数が小さいことを特徴とする請求項１から請求項４のいずれか１項に記載の腰痛治療器である。
【００１０】
また、請求項６記載の発明は、前記尾骨押圧子１２が球形状であり、かつ前記昇降体１１の上部が凹曲面である請求項１から請求項５のいずれか１項に記載の腰痛治療器である。
【発明の効果】
【００１１】
請求項１に記載の発明によれば、スポンジ製の座板１４の中央部に尾骨押圧子１２を配置するので、使用者は臀部を広い座板１４の上に載せ、体重を座板１４で支えながら、自身で尾骨押圧子１２の位置を探り、その真上に尾骨を容易に当てることができる。そのため尾骨から外れた場所に尾骨押圧子１２が不意に強く当たるようなことがなく、初心者も安心して使用できる。
【００１２】
請求項２に記載の発明によれば、請求項１に記載の発明の効果に加えて、前記尾骨押圧子１２を、その一部が座板１４の上面より突出した状態で昇降体１１の上部に取り付けることにより、使用者は容易に尾骨押圧子１２の位置を把握でき、尾骨押圧子１２の真上に尾骨をより容易に当てることができる。
【００１３】
請求項３に記載の発明によれば、請求項１又は請求項２に記載の発明の効果に加えて、座板１４の底面に支持体１０を設けたことにより、必要以上に座板１４の剛性を上げる必要がなくなり、その加工が容易になるので製作コストを抑えることができる。また、椅子等の上に載置することができるので、治療器が大きくならず、収納が容易になると共に、携帯性も向上する。
【００１４】
請求項４に記載の発明によれば、前記座板１４が、臀部形状を受ける凹部１４ａを有することにより、目視で座板１４の凹部１４ａを確認しながら、尾骨を尾骨押圧子１２に接触させることができる。これにより腰痛治療器の使用が容易になる。
また、使用者の体格に応じて異なる二以上の凹部１４ａを有する座板１４に対し、前記昇降体１１を交換可能としたことにより、使用者２０の体格に対応した座板１４を用いることができる。
【００１５】
請求項５に記載の発明によれば、請求項１から請求項４のいずれか１項に記載の発明の効果に加えて、尾骨押圧子１２の弾性係数よりもバネ１３の弾性係数を小さくすることにより、腰痛治療器を使用する際に使用者２０が尾骨押圧子１２の上に乗った状態で身体を上下動させることができ、より適切に尾骨に尾骨押圧子１２からの力を作用させることができる。
【００１６】
請求項６に記載の発明によれば、請求項１から請求項５のいずれか１項に記載の発明の効果に加えて、尾骨押圧子１２が球形状であることにより、装置の使用者２０が尾骨押圧子１２に体重を付加したときに、その上部が凹み、尾骨を掌底で押した際に尾骨が掌底で包まれるのと同じような感覚で、尾骨押圧子１２からの力を作用させることができる。また、昇降体１１の上部が凹曲面１１ａであることにより、昇降体１１に対する尾骨押圧子１２の保持を適切に行うことができる。
【図面の簡単な説明】
【００１７】
【図１】第一実施形態にかかる腰痛治療具の全体斜視図である。
【図２】図１の腰痛治療具の分解斜視図である。
【図３】図１の腰痛治療具の断面図である。
【図４】図１の腰痛治療具の第一使用図である。
【図５】図１の腰痛治療具の第二使用図である。
【図６】図１の腰痛治療具の第三使用図である。
【図７】第二実施形態にかかる腰痛治療具の全体斜視図である。
【図８】第三実施形態にかかる腰痛治療具の全体斜視図である。
【発明を実施するための形態】
【００１８】
上記技術思想に基づいて具体的に構成された実施の形態について以下に図面を参照しつ
つ説明する。
【００１９】
図１には第一実施形態にかかる腰痛治療具の全体斜視図を、図２には図１の腰痛治療具を分解した状態の全体斜視図を、図３には、腰痛治療具の断面図を示す。
【００２０】
本発明に係る腰痛治療具は、平板状の支持体１０の平板面上に、上向きに突き出た昇降体１１を連結し、この昇降体１１の周囲を座板１４で包むと共に、昇降体１１の上端部に尾骨押圧子１２を載置して構成される。支持体１０は略正方形の平板状で、角部に面取りを施し、比較的広い面積を有する平面に、上向きに昇降体１１が突出するように連結する。昇降体１１は、正方形形状の中心に連結する。支持体１０はアルミ製である。これにより、腰痛治療具は必要な剛性を有することができると共に、全体の重量を軽減することができる。ただし、材料はアルミ製に限定されるものではなく、剛性をより高くするため他の金属や木片で構成することも可能であり、ハニカム材や鋼材の溶接構造物で構成することも可能である。
【００２１】
昇降体１１は、コイルばねであるバネ１３と、昇降体１１の水平方向の位置決めを行う位置決めサポータ１６と、を下方に配置し、これらにより支持体１０に対して、上下動作可能に連結する。昇降体１１の外部形状は略円柱形状で、上端部には球面状の凹曲面１１ａを形成し、下端部には、位置決めサポータ１６を嵌入するためのサポータ受け穴１１ｂを形成している。昇降体１１の凹曲面１１ａは、昇降体１１の上部に載置する球体である尾骨押圧子１２に合致した球面であり、サポータ受け穴１１ｂの内径は、位置決めサポータ１６の外径に対して昇降体１１が摺動可能な大きさとし、ばね受け穴１１ｂの底にバネ１３を接着により固定する。腰痛治療具の全体重量を軽くするため昇降体１１の材料もアルミである。なお、昇降体１１の上部は球面としたが、例えば凹型の円錐形状にすることも可能である。また、バネ１３はコイルばねを用いたが、適切な弾性係数を有する弾性体であれば、他の部材でも問題ない。
【００２２】
位置決めサポータ１６は、支持体１０と、結合部材１５である複数のボルトにより支持体１０の下方から固定される。位置決めサポータ１６は、円柱形状で上端からバネ１３を嵌入することができる穴を設ける。
【００２３】
昇降体１１の上端部に載置する尾骨押圧子１２の材質はポリウレタンであり、球の外径は約８［ｃｍ］程度であり、昇降体１１の球面状の凹曲面１１ａの深さはこの球の外径の２５％であるので、６［ｃｍ］程度昇降体１１よりも上方に突出する。尾骨押圧子１２の弾性係数よりも、バネ１３の弾性係数の方が小さく設定する。ここで弾性係数とは、荷重を加えた方向への変位／荷重で表すものであり、尾骨押圧子１２の上方から上下方向に均一に荷重を加えた時の、荷重と上下方向の球の変形量の割合であり、バネ１３においては、コイルばねに対して上下方向に荷重を加えた時に、荷重と上下方向のコイルばねの長さの変形量の割合を言う。
【００２４】
ポリウレタンである尾骨押圧子１２が尾骨に作用すると、尾骨押圧子１２は尾骨に合わせて変形し、適切に尾骨に力を作用させることができる。なお、第一実施形態では尾骨押圧子１２の形状を球としたが、尾骨に合わせて変形可能な他の形状（例えば上部が一部平らになっているもの等）又は他の材料であっても問題ない。
【００２５】
座板１４は、昇降体１１の周囲を包囲し、使用者の臀部が接することで、使用者の臀部から使用者の体重を受ける。座板１４は、直方体形状のスポンジであり、上下面は支持体１０の平面形状と同程度の大きさであり、高さは、使用者が体重を付加していない場合の昇降体１１の最上部よりも低くする。そして、昇降体１１の外径よりも小さめの通孔を水平面内の中央に設ける。通孔を昇降体１１の外径よりも小さくすることにより、昇降体１１の上下運動の速度を適切に低下させるダンパーとなる。スポンジはゴムを原料とするゴムスポンジであり、バネ１３の弾性係数よりも、座板１４の弾性係数が小さくなるようにする。
【００２６】
座板１４の材料はスポンジに限定されるものではなく、バネ１３の弾性係数よりも小さい軟質ゴムや樹脂材料であっても問題ない。また、本実施形態では座板は直方体としたが、この形状に限定されるものではなく、扁平な円柱形状や、扁平な多角柱形状も考えられる。更に「昇降体の周囲を包囲し」とあるのは、昇降体の周方向を覆うことを意味するが、その一部がおおわれていない場合も含む。加えて座板は、布に覆われたものであってもよい。この場合昇降体１１との間のダンパーとしての効果は少なくなるが、使用により小さくはぎ取られた座板１４のスポンジが散乱するのを防止できる。
【００２７】
尾骨押圧子１２と別に、臀部より体重を受ける座板１４を備えたことにより、座板１４に使用者の体重を負荷しながら、使用者は容易に尾骨押圧子１２に尾骨を接触させることができる。
【００２８】
座板１４の下に支持体１０を設けたことにより、必要以上に座板１４の剛性を上げる必要がなくなり、その加工が容易になるので製作コストを抑えることができる。また、椅子等の上に載置することができるので、治療器が大きくならず、収納が容易になると共に、携帯性も向上する。
【００２９】
本発明の第一実施形態にかかる腰痛治療具の使用方法について図４から図６を用いて説明する。図４から図６は、腰痛治療具の使用している状態の側面図をそれぞれ示している。図４は腰痛治療具を椅子２１に載置した状態の使用図である。使用者２０は、図１の状態にある腰痛治療具を椅子２１の上に安定に載置する。次に椅子２１に対して後ろ向きになり、ゆっくりと自己の尾骨が尾骨押圧子１２に接するように腰を下ろし、尾骨押圧子１２に体重をかける。図４では使用者２０の尾骨が尾骨押圧子１２に接し、体重をかけて尾骨押圧子１２が少し沈み込んだ状態を示している。このとき尾骨押圧子１２の一部が座板１４より突出しているので位置を定めやすい。
更に体重をかけると、使用者２０の臀部及び太ももが、昇降体１１の周囲を包囲した座板１４を押し込むようになり、尾骨に対して一定以下の荷重しか作用しなくなる。この状態で使用者２０は数度上体を上下に動かして、尾骨に対して尾骨押圧子１２の位置調整などを行う。腰痛治療を行う者は一日数回、２、３分程度この腰痛治療具を使用して腰痛の治療を行う。
【００３０】
図５は腰痛治療具を載置台２２上に載置した状態の使用図を示す。椅子２１がない場合などに、使用者２０は、高さ２０［ｃｍ］程度の載置台２２を使用して腰痛治療具を使用することもできる。この載置台２２は、高さが確保できれば問題なく、例えば電話帳などを複数重ねたものであっても問題ない。載置台２２の上に載置した後は、図４に示す場合と同様の使用方法により使用する。
【００３１】
図６は腰痛治療具を自動車の運転席のシートの上に載置した状態の使用図である。長距離トラックのドライバなどは、一定の姿勢で長時間トラックの運転を行うため、腰痛を発症しやすい。このようなドライバが使用者２０である場合、図１の状態にある腰痛治療具をシート２３上に載置する。シート２３が平坦である場合は直接載置するが、シート２３の中央部が凹んでいる場合は、その凹んでいる部分にスペーサとなる部材を置いたうえで載置する。そして使用者２０は、駐車場などで停車させた状態で、図４に示す場合と同様の方法で腰痛治療具を使用する。運転席に腰痛治療具を載置したとき、使用者２０はハンドルで上半身を支えながら尾骨を尾骨押圧子１２に接触させることができる。この治療具をトラックなどに常備する場合は、尾骨押圧子１２を座板１４に埋没させておけば、突出するのに比較して、かさばらず収納に便利である。
【００３２】
使用者２０が腰痛治療具を載置し、その上の昇降体１１に使用者２０の尾骨を当てながら腰掛けることにより、使用者２０の自重を利用して、脊椎落下を尾骨直下からの上部への垂直圧迫で改善することが可能であり、簡易に腰痛の治療を行うことができる。立位で治療を行うことに比較すると、腰痛緩和の効果は小さいが、簡易に行うことができるので、腰痛の症状が軽い間にすばやく対処することができる。
【００３３】
尾骨押圧子１２の下方に、尾骨押圧子１２の弾性係数よりも小さい弾性係数を有するバネ１３を備えたことにより、腰痛治療器を使用する際に使用者２０が尾骨押圧子１２の上に乗った状態で身体を上下動させることができ、より適切に尾骨に尾骨押圧子１２からの力を作用させることができる。
【００３４】
尾骨押圧子１２が球形状であることにより、装置の使用者２０が尾骨押圧子１２に体重を付加したときに、その上部が凹み、適切に尾骨に尾骨押圧子１２からの力を作用させることができる。また、昇降体１１の上端部が球面状の凹曲面であることにより、昇降体１１に対する尾骨押圧子１２の保持を適切に行うことができる。
【００３５】
図７には第二実施形態にかかる腰痛治療具を、図８には第三実施形態にかかる腰痛治療具を示す。第一実施形態との相違点は、座板１４の形状である。第二実施形態と第三実施形態の腰痛治療具の座板１４は、直方体形状に使用者２０の臀部及び太もも部分が入る凹部１４ａを設ける。第二実施形態にかかる腰痛治療具は、比較的大柄な使用者２０が使用する場合（例えば男性）に用い、第三実施形態にかかる腰痛治療具は比較的小柄な使用者２０が使用する場合（例えば女性）に用いる。そしてこれらの実施形態にかかる腰痛治療具は、座板１４のみを２種類設け、着脱自在とし、使用者に応じて使い分ける。即ち、第二実施形態にかかる腰痛治療具を比較的大柄な使用者２０が使用した後、比較的小柄な使用者２０が使用したい場合、昇降体１１上の尾骨押圧子１２を持ち上げた後、上方に向けて座板１４をはずし、そして第三実施形態の腰痛治療具になるように他の座板１４を昇降体１１にはめ込み、尾骨押圧子１２を取り付けて使用する。なお、座板１４は十分に柔らかい素材でできているので、座板１４の凹部１４ａは、主に最初に尾骨を尾骨押圧子１２に接触させる際の目印の役目を果たす。
【００３６】
尾骨押圧子１２や、バネ１３は、使用者２０の治療の状態に合わせて弾性係数を変えたものを複数用意し、交換することが可能である。
【符号の説明】
【００３７】
１  腰痛治療具
１０  支持体
１１  昇降体
１１ａ  凹曲面
１１ｂ  サポータ受け穴
１２  尾骨押圧子
１３  バネ
１４  座板
１４ａ凹部
１５  結合部材
１６  位置決めサポータ
１６ａ  ばね受け穴
２０  使用者
２１  椅子
２２  載置台
２３  シート
【図１】
2014200402.tif 000003
【図２】
2014200402.tif 000004
【図３】
2014200402.tif 000005
【図４】
2014200402.tif 000006
【図５】
2014200402.tif 000007
【図６】
2014200402.tif 000008
【図７】
2014200402.tif 000009
【図８】
2014200402.tif 000010